(57)【要約】      （修正有）【課題】より広範な照射範囲を有するＬＥＤ灯源を用いたＬＥＤ照明灯具を提供する。【解決手段】少なくとも、基板、発光体及び透過層からなるＬＥＤ灯源構造であって、該基板１１が銅からなり、幾何形状に成形された板材であり、その横断面が円弧状であり、該円弧状板材の外側に、複数の発光体１２が嵌設され、該発光体が晶粒状のＬＥＤ灯体であり、前記基板と前記発光体の最外側に透過層１３が被覆されてなるＬＥＤ灯源構造を有することを特徴とする。【選択図】図１
0003157104.tif 000002
【実用新案登録請求の範囲】
【請求項１】
少なくとも、主として、基板、発光体及び透過層からなるＬＥＤ灯源構造であって、前記基板が、銅からなり、幾何形状に一体成形された板材であり、前記基板の断面の形状が、円弧状で、該円弧状の外側に、複数の発光体が嵌設され、前記発光体が、晶粒状のＬＥＤ灯体であり、前記基板と前記発光体との最外側に、透過層が被覆されてなるＬＥＤ灯源構造から構成されてなることを特徴とするＬＥＤ灯具。
【請求項２】
前記基板の断面が、中心角を１２０°に設定した円弧状であることを特徴とする請求項１記載のＬＥＤ灯具。
【請求項３】
前記基板の断面が、中心角を２７０°に設定した円弧状であることを特徴とする請求項１記載のＬＥＤ灯具。
【考案の詳細な説明】
【技術分野】
【０００１】
本考案は、ＬＥＤ（発光ダイオード（Light Emitting Diode）。以下同じ。）灯源を用いるＬＥＤ灯具に関するものであり、さらに詳しくは、ＬＥＤ照明灯として利用可能なＬＥＤ灯具に関するものである。
【背景技術】
【０００２】
従来のＬＥＤ灯具は図５に示すように、そのＬＥＤ発光源１の基板１１が、平面状であり、光線が、直線の経路により照射するため、かかる従来のＬＥＤ発光源１は、平面状である基板１１を透過して下方へ照射し、その照射範囲が制限されるという問題があった。以上の状況から、ユーザーは、市場で比較的多く販売されているＬＥＤ発光源１を購入しているが、その空間の照射範囲を拡大して、照射していない死角の形成を防止することが必要である。
【０００３】
従って、前記の如き死角防止のためには、かかるタイプのＬＥＤ発光源１を多数使用する必要があり、これに伴ない、費やすコストが高くなり、また、電力消費量も高くなるという難点があった。
【０００４】
かかる状況下において、例えば、リニアＬＥＤ照明灯が提案されているが、その他の多数の提案と同様に発光灯源の構造は、ＬＥＤ灯体が平面状の基板に設けられたものであり、照射光の照射範囲が狭いので、前記の如き問題が包蔵され、この点では十分な効果を奏するものではなかった。
【特許文献１】米国公開特許２００２／０１２６５０３和文抄録
【考案の開示】
【考案が解決しようとする課題】
【０００５】
従って、本考案の課題は、従来のＬＥＤ灯具の欠点に鑑み、より広範な照射範囲を有するＬＥＤ灯源を用いたＬＥＤ照明灯具を提案する点にある。
【課題を解決するための手段】
【０００６】
そこで、本考案者は、前記の従来のＬＥＤ灯具の欠点を解消し、本考案の課題を解決するために鋭意検討を重ねたところ、発光体基板の断面形状を円弧状とすることにより、前記課題が解決できることに着目し、かかる知見に基いて本考案に想到するに至った。
【０００７】
すなわち、本考案の主たる目的は、主として、ＬＥＤの発光体を、横断面が円弧状である基板上に嵌設することにより、該発光体が、放射状の光線を発することから、その照射範囲により、照明領域に照射し、照射した範囲がより広くなり、また、比較的少ない数量のＬＥＤ発光灯源を使用して、より広い照射範囲が得られ、消費電力が、低減されるＬＥＤ灯源構造を有するＬＥＤ灯具を提供する点にある。
【０００８】
かくして本考案によれば、
請求項１において、少なくとも、主として、基板、発光体及び透過層からなるＬＥＤ灯源構造であって、該基板が、銅からなり、外観が幾何形状に一体成形された板材であり、基板の断面が、円弧状で、基板の円弧状外側に、複数の発光体が嵌設され、前記発光体が、晶粒状のＬＥＤ灯体で、前記基板と前記発光体との最外側に、透過層が被覆されてなるＬＥＤ灯源構造から構成されてなることを特徴とするＬＥＤ灯具が提供される。
【０００９】
請求項２に係る考案によれば、
前記基板の断面が、中心角を１２０°に設定してなる円弧状であることを特徴とする請求項１記載のＬＥＤ灯具が提供される。
【００１０】
請求項３に係る考案によれば、
前記基板の断面が、中心角を２７０°に設定してなる円弧状であることを特徴とする請求項１記載のＬＥＤ灯具が提供される。
【考案の効果】
【００１１】
本考案は、前記の通りの構成からなり、発光体の構造の特異性により照射光線が放射状となり、照射範囲を拡大させることができるので、少ない発光体により広い照明領域を形成させることができ、消費電力量の低減にもつながる。
【考案を実施するための最良の形態】
【００１２】
以下、図面を参照しながら、本考案の特徴や技術内容について、具体的に説明する。もっとも、それらの図面等は、参考や説明のためであり、本考案は、それらによって限定されるものではない。
【００１３】
本考案に係るＬＥＤ灯具のＬＥＤ灯源構造は、図１に横断面で示すように、少なくとも、主として、基板１１、発光体１２及び透過層１３から構成されたものである。
【００１４】
基板１１は、銅からなり、外観が幾何形状の一体成形された板材であり、円形、四角形、三角形、多辺形或いは楕円形等の幾何形状で、その横断面が、円弧状で、該円弧の中心角が、１２０°の広角に設定されたものである。なお、円弧の中心角は弧の二箇所の先端部と円の中心点を介して結ぶ線の互いの角度であり、放射状の光線が発生するような角度であれば、後記のような範囲までの角度に決定してもよい。
【００１５】
基板１１の円弧状外側には、複数の発光体１２が嵌設されてある。その発光体１２が、晶粒状のＬＥＤ灯体である。基板１１と発光体１２との最外側に、透過層１３が被覆されてある。透過層１３は、耐熱可能の透過性のゲル状物質からなるものを用いることができる。  
【００１６】
また、図２のように、本考案に係るＬＥＤ灯具１０が、灯座２により嵌設されて構成される。
【００１７】
本考案によれば、図２のように、まず、本考案に係るＬＥＤ灯源を用いたＬＥＤ灯具１０と灯座２０とを結合し、図３のように、ＬＥＤ灯具１０の発光体１２が発光する時、ＬＥＤ灯具１０の円弧状である基板１１により、基板１１に嵌設された発光体１２の光束領域が増大され、この結果、灯具の使用量を低減することができる。
【００１８】
また、図４のように、ＬＥＤ灯具１０の基板１１の断面が、円弧状になり、その円弧の中心角が、２７０°までに設定でき、これにより、発光体１２が、該基板１１の外側にも嵌設されることができ、発光体１２が点灯する時、より広い光束領域が得られる。
【００１９】
図３に示すように、本考案によれば、次の利点が得られる。
【００２０】
ＬＥＤ灯具１０の発光体１２は、円弧状の断面で、一体成形された基板１１に嵌設される。
【００２１】
発光体１２が、該円弧状の基板１１の外側に沿って嵌設されるため、該発光体１２の照射範囲が、照明領域に対して、放射状に照射し、照射範囲がより広くなる。
【００２２】
また、図１のように、本考案によれば、基板１１と発光体１２の最外側に、透過層１３が被覆されてある、該透過層１３が、耐熱可能の透過ゲルからなるため、透過片を実装することが必要としなく、コストの節約が実現される。
【００２３】
以上、説明したように、本考案は、より進歩的かつより実用的であることが明らかであるので、法に従って実用新案登録を求める。
【００２４】
以上の説明は、本考案のより良い実施例を示したものであり、本考案は、それらによって限定されるものではなく、本考案に係わる考案登録請求の範囲や明細書の内容に基づいて行った等価の変更や修正は、全てが、本考案の範囲内に含まれることは明らかである。
【図面の簡単な説明】
【００２５】
【図１】本考案の一実施形態によるＬＥＤ灯源の断面図である。
【図２】本考案の一実施形態によるＬＥＤ灯具を灯座に結合された状態を示す斜視図である。
【図３】本考案の一実施形態によるＬＥＤ灯具の照明断面の概念図である。
【図４】本考案の他の実施形態によるＬＥＤ灯源の断面概念図である。
【図５】従来の灯具の照明断面概念図である。
【符号の説明】
【００２６】
従来のＬＥＤ灯具
１    ＬＥＤ発光源
１１  基板
本考案に係るＬＥＤ灯具
１    ＬＥＤ灯源
１０  ＬＥＤ灯具
１１  基板
１２  発光体
１３  透過層
２    灯座
【図１】
0003157104.tif 000003
【図２】
0003157104.tif 000004
【図３】
0003157104.tif 000005
【図４】
0003157104.tif 000006
【図５】
0003157104.tif 000007